(57)【要約】【課題】製造会社が相違する内視鏡と光源装置を組み合わせて使用するような場合であっても、被写体に照射される照明光の明るさを適正に調整することができる内視鏡の光源接続アダプタを提供すること。【解決手段】ライトガイドコネクタロッド１４を支持するロッド支持部材３２をアダプタ筒３１に対して軸線方向に可動に設け、ロッド支持部材３２をライトガイドコネクタロッド１４と共にその軸線方向に移動させることにより、照明用ライトガイド１５の入射端面がコネクタ受け孔２３内で軸線方向に移動して、光源２１から照明用ライトガイド１５に入射する光の量が変化するようにした。【選択図】      図１
2005245908.tif 000002
【特許請求の範囲】
【請求項１】
内視鏡の照明用ライトガイドの入射端面が突端に配置されたライトガイドコネクタロッドを、直接差し込むとガタついてしまう程度の内径の光源装置のコネクタ受け孔に差し込み接続することができるように、上記ライトガイドコネクタロッドがガタつかずに差し込まれる程度の内径と、上記コネクタ受け孔にガタつかずに差し込まれる程度の外径とを有するアダプタ筒が設けられた内視鏡の光源接続アダプタにおいて、
上記ライトガイドコネクタロッドを支持するロッド支持部材を上記アダプタ筒に対して軸線方向に可動に設け、上記ロッド支持部材を上記ライトガイドコネクタロッドと共にその軸線方向に移動させることにより、上記照明用ライトガイドの入射端面が上記コネクタ受け孔内で軸線方向に移動して、光源から上記照明用ライトガイドに入射する光の量が変化するようにしたことを特徴とする内視鏡の光源接続アダプタ。
【請求項２】
上記ロッド支持部材を上記アダプタ筒に対して固定及び固定解除するための手動固定部材が設けられている請求項１記載の内視鏡の光源接続アダプタ。
【発明の詳細な説明】
【技術分野】
【０００１】
この発明は、光源装置のコネクタ受け孔に直接差し込むとガタついてしまう径の内視鏡のライトガイドコネクタロッドを、コネクタ受け孔にガタつかないように差し込んで使用するための内視鏡の光源接続アダプタに関する。
【背景技術】
【０００２】
内視鏡は一般に光源を内蔵しておらず、内視鏡に組み込まれている照明用ライトガイドを光源装置に接続して使用するようになっている。したがって、組み合わせて使用される内視鏡と光源装置が同じ製造会社の製品であれば内視鏡の照明用ライトガイドを光源装置に問題なく接続することができる。
【０００３】
しかし、内視鏡の照明用ライトガイドと光源装置との接続部の構造はＪＩＳ等によって標準化されていないため、製造会社が相違する場合には、照明用ライトガイドを光源装置にピッタリと接続することができない場合が多い。
【０００４】
そこで、内視鏡と光源装置の製造会社が相違する場合に、内視鏡の照明用ライトガイドの入射端面が突端に配置されたライトガイドコネクタロッドを、直接差し込むとガタついてしまう程度の内径の光源装置のコネクタ受け孔に差し込み接続することができるように、ライトガイドコネクタロッドがガタつかずに差し込まれる内径と、コネクタ受け孔にガタつかずに差し込まれる外径とを有するアダプタ筒が用いられている（例えば、特許文献１）。
【特許文献１】特開平４−２４０４３４
【発明の開示】
【発明が解決しようとする課題】
【０００５】
しかし、上述のようなアダプタ筒を用いて製造会社が相違する内視鏡と光源装置を組み合わせて使用すると、例えばストロボ観察を行う場合等には、被写体に照射される照明光の明るさを適正に調整することができない場合がある。
【０００６】
そこで本発明は、製造会社が相違する内視鏡と光源装置を組み合わせて使用するような場合であっても、被写体に照射される照明光の明るさを適正に調整することができる内視鏡の光源接続アダプタを提供することを目的とする。
【課題を解決するための手段】
【０００７】
上記の目的を達成するため、本発明の内視鏡の光源接続アダプタは、内視鏡の照明用ライトガイドの入射端面が突端に配置されたライトガイドコネクタロッドを、直接差し込むとガタついてしまう程度の内径の光源装置のコネクタ受け孔に差し込み接続することができるように、ライトガイドコネクタロッドがガタつかずに差し込まれる程度の内径と、コネクタ受け孔にガタつかずに差し込まれる程度の外径とを有するアダプタ筒が設けられた内視鏡の光源接続アダプタにおいて、ライトガイドコネクタロッドを支持するロッド支持部材をアダプタ筒に対して軸線方向に可動に設け、ロッド支持部材をライトガイドコネクタロッドと共にその軸線方向に移動させることにより、照明用ライトガイドの入射端面がコネクタ受け孔内で軸線方向に移動して、光源から照明用ライトガイドに入射する光の量が変化するようにしたものである。
【０００８】
なお、ロッド支持部材をアダプタ筒に対して固定及び固定解除するための手動固定部材を設けてもよい。
【発明の効果】
【０００９】
本発明によれば、アダプタ筒に対して軸線方向に可動なロッド支持部材をライトガイドコネクタロッドと共にその軸線方向に移動させることにより、照明用ライトガイドの入射端面がコネクタ受け孔内で軸線方向に移動して、光源から照明用ライトガイドに入射する光の量が変化するので、製造会社が相違する内視鏡と光源装置を組み合わせて使用するような場合であっても、被写体に照射される照明光の明るさを適正に調整することができる。
【発明を実施するための最良の形態】
【００１０】
ライトガイドコネクタロッドを支持するロッド支持部材をアダプタ筒に対して軸線方向に可動に設け、ロッド支持部材をライトガイドコネクタロッドと共にその軸線方向に移動させることにより、照明用ライトガイドの入射端面がコネクタ受け孔内で軸線方向に移動して、光源から照明用ライトガイドに入射する光の量が変化するようにする。
【実施例】
【００１１】
図面を参照して本発明の実施例を説明する。
図２において、１０と２０は、製造会社が相違する内視鏡と光源装置であり、内視鏡１０は可撓性の挿入部１１の基端に操作部１２が連結され、光源装置２０に接続自在なコネクタ部１３から突設されたライトガイドコネクタロッド１４の突端に、照明用ライトガイド１５の入射端面１５ａが配置されている。照明用ライトガイド１５の射出端面１５ｂは、被写体に対向するように挿入部１１の先端に配置されている。
【００１２】
光源ランプ２１（光源）を内蔵する光源装置２０の、フロントパネルに配置されたコネクタ受け２２には、内視鏡１０のライトガイドコネクタロッド１４を差し込むためのコネクタ受け孔２３が貫通形成されている。
【００１３】
しかし、その光源装置２０と製造会社が異なる内視鏡１０のライトガイドコネクタロッド１４は、コネクタ受け孔２３の内径に対して長すぎ且つ細すぎて、コネクタ受け孔２３に直接差し込むとガタついてしまうので、光源接続アダプタ３０を介して差し込むようになっている。
【００１４】
図３は、その光源接続アダプタ３０を示しており、光源装置２０のコネクタ受け孔２３に差し込まれるアダプタ筒３１は、コネクタ受け孔２３にガタつきなく差し込まれる外径寸法Ｄと、内視鏡１０のライトガイドコネクタロッド１４がガタつかずに差し込まれる内径寸法ｄとを有している。
【００１５】
アダプタ筒３１の基端寄りの部分は径が太く形成されていて、その内側には、ライトガイドコネクタロッド１４が係脱自在に差し込まれて支持されるロッド支持筒３２（ロッド支持部材）が、アダプタ筒３１に対して軸線方向に可動に嵌合配置されている。
【００１６】
また、ロッド支持筒３２を軸線方向に移動操作させるための操作筒３３がロッド支持筒３２に対して一体的に螺合係合しており、操作筒３３は、アダプタ筒３１の太径部分の外周部に固着されている外装筒３４の外周面に沿って軸線方向にガタつきなく摺動し、それと共にロッド支持筒３２が軸線方向に移動する。
【００１７】
ロッド支持筒３２の内周部には、ライトガイドコネクタロッド１４を弾力的にクリック係止するためのバネ材からなるＣリング３５が装着されていて、そのバネ力によってライトガイドコネクタロッド１４がロッド支持筒３２に係止され、その状態から力を入れてライトガイドコネクタロッド１４を引っ張るとその係合が外れる。
【００１８】
ロッド支持筒３２の外周部には、ロッド支持筒３２の移動範囲を規制するためのストッパピン３６が突設されており、そのストッパピン３６が係合する直線溝３７が、アダプタ筒３１の太径部の壁部に軸線と平行方向に形成されている。
【００１９】
その結果、ストッパピン３６は直線溝３７の長さの範囲内において軸線方向に移動自在であり、その移動範囲の両端にある状態が図３の上半部と下半部とに分けて図示されているように、ロッド支持筒３２はアダプタ筒３１に対して軸線方向に最大ストロークＳの範囲において進退自在である。
【００２０】
なお、ロッド支持筒３２の外周面とアダプタ筒３１の内周面との摺動部分には、摩擦抵抗を付与するための弾力性のあるゴム材からなるＯリング３８が常時潰された状態に配置されていて、ロッド支持筒３２がアダプタ筒３１に対して取り扱い者の意に反して動いてしまわないようになっている。
【００２１】
図１は、光源装置２０のコネクタ受け孔２３にアダプタ筒３１が差し込まれた光源接続アダプタ３０に対して内視鏡１０のライトガイドコネクタロッド１４が差し込まれた状態を示しており、アダプタ筒３１の軸線が光源ランプ２１から放射される照明光の光軸と一致する状態になって、光源ランプ２１から放射された照明光が照明用ライトガイド１５の入射端面１５ａに入射する。
【００２２】
しかし、入射端面１５ａが取り付けられているライトガイドコネクタロッド１４が軸線方向に移動自在なロッド支持筒３２に支持されているので、操作筒３３を操作することにより、入射端面１５ａを光源ランプ２１の軸線方向に最大ストロークＳの範囲で移動させることができる。
【００２３】
したがって、照明用ライトガイド１５の入射端面１５ａが光源ランプ２１の焦点位置付近に位置している時には光源ランプ２１から照明用ライトガイド１５に入射する照明光の光の量が最大になり、その状態から入射端面１５ａが遠ざかるに従って照明用ライトガイド１５に入射する光の量が減少するので、被写体に照射される照明光の光の量を任意に制御することができる。
【００２４】
なお、本発明は上記実施例に限定されるものではなく、例えば図４に示されるように、操作筒３３に側方からねじ込んだ手動ネジ３９（手動固定部材）により外装筒３４の表面を押圧固定できるようにする等の構造を採用して、ロッド支持筒３２をアダプタ筒３１に対して手動で固定及び固定解除することができるようにしてもよい。
【図面の簡単な説明】
【００２５】
【図１】本発明の第１の実施例の内視鏡の光源接続アダプタの使用状態の側面断面図である。
【図２】本発明の第１の実施例の内視鏡と光源装置と側面図である。
【図３】本発明の第１の実施例の内視鏡の光源接続アダプタの側面断面図である。
【図４】本発明の第２の実施例の内視鏡の光源接続アダプタの側面断面図である。
【符号の説明】
【００２６】
１０  内視鏡
１４  ライトガイドコネクタロッド
１５  照明用ライトガイド
１５ａ  入射端面
１５ｂ  射出端面
２０  光源装置
２１  光源ランプ（光源）
２２  コネクタ受け
２３  コネクタ受け孔
３０  光源接続アダプタ
３１  アダプタ筒
３２  ロッド支持筒（ロッド支持部材）
３３  操作筒
３５  Ｃリング
３６  ストッパピン
３７  直線溝
３８  Ｏリング
３９  手動ネジ
【図１】
2005245908.tif 000003
【図２】
2005245908.tif 000004
【図３】
2005245908.tif 000005
【図４】
2005245908.tif 000006